(57)【要約】【課題】近距離無線通信を用いながらも、操作性（ユーザビリティ）に優れた通信装置及びその制御方法を提供する。【解決手段】外部の表示装置と近距離無線通信を行う通信装置であって、前記外部の表示装置との間で通信を行う通信手段と、前記外部の表示装置との接続状態を検出する検出手段と、前記通信手段による画像データの送信を制御する制御手段と、を有し、前記検出手段によって、前記通信手段による画像データの送信中に前記外部の表示装置との接続が切断されたことが検出された後、前記外部の表示装置に接続したことが検出された場合に、前記制御手段は、所定の画像データを送信するように、前記通信手段を制御することを特徴とする通信装置を提供する。【選択図】図１
2011009879.tif 000002
【特許請求の範囲】
【請求項１】
外部の表示装置と近距離無線通信を行う通信装置であって、
前記外部の表示装置との間で通信を行う通信手段と、
前記外部の表示装置との接続状態を検出する検出手段と、
前記通信手段による画像データの送信を制御する制御手段と、
を有し、
前記検出手段によって、前記通信手段による画像データの送信中に前記外部の表示装置との接続が切断されたことが検出された後、前記外部の表示装置に接続したことが検出された場合に、前記制御手段は、所定の画像データを送信するように、前記通信手段を制御することを特徴とする通信装置。
【請求項２】
前記制御手段は、前記所定の画像データとして、前記外部の表示装置との接続が切断されたときに送信していた画像データに続く画像データを送信するように、前記通信手段を制御することを特徴とする請求項１に記載の通信装置。
【請求項３】
前記画像データは、複数のチャプタで構成された動画像データであって、
前記検出手段によって、前記通信手段による前記複数のチャプタのうち第１のチャプタの画像データの送信中に前記外部の表示装置との接続が切断されたことが検出された後、前記外部の表示装置に接続したことが検出された場合に、前記制御手段は、前記所定の画像データとして、前記第１のチャプタの次の第２のチャプタの画像データを送信するように、前記通信手段を制御することを特徴とする請求項１に記載の通信装置。
【請求項４】
前記画像データは、動画像データであって、
前記制御手段は、前記接続が切断していたときに送信していた動画像データの先頭から送信するように、前記通信手段を制御することを特徴とする請求項１に記載の通信装置。
【請求項５】
前記画像データは、動画像データであって、
前記制御手段は、前記外部の表示装置との接続が切断されたときに送信していた動画像データにおける送信を中断した位置から引き続き送信するように、前記通信手段を制御することを特徴とする請求項１に記載の通信装置。
【請求項６】
前記検出手段によって、前記通信手段による画像データの送信中に前記外部の表示装置との接続が切断されたことが検出された場合に、前記外部の表示装置に接続したときに送信する画像データを選択するための画面を表示する表示手段を更に有し、
前記制御手段は、前記所定の画像データとして、前記画面を介して選択された画像データを送信するように、前記通信手段を制御することを特徴とする請求項１に記載の通信装置。
【請求項７】
前記画像データは、動画像データであって、
前記検出手段によって、前記通信手段による画像データの送信中に前記外部の表示装置との接続が切断されたことが検出された場合に、前記外部の表示装置に接続したときに送信する動画像データの送信位置を選択するための画面を表示する表示手段を更に有し、
前記検出手段によって、前記通信手段による画像データの送信中に前記外部の表示装置との接続が切断されたことが検出された後、前記外部の表示装置に接続したことが検出された場合に、前記制御手段は、前記画面を介して選択された前記動画像データの送信位置から送信を開始するように、前記通信手段を制御することを特徴とする請求項１に記載の通信装置。
【請求項８】
前記制御手段は、前記検出手段によって前記外部の表示装置との接続が切断されたことが検出されると、前記表示装置に対する画像データの送信を停止するように前記通信手段を制御することを特徴とする請求項１乃至７のうちいずれか１項に記載の通信装置。
【請求項９】
前記制御手段は、前記検出手段によって前記外部の表示装置との接続が切断されたことが検出されたときに送信していた画像データに関する切断時状態情報を生成し、前記切断時状態情報に基づいて前記所定の画像データを決定することを特徴とする請求項１乃至８のうちいずれか１項に記載の通信装置。
【請求項１０】
前記制御手段は、前記検出手段によって前記外部の表示装置との接続が切断されたことが検出されたときに送信していた画像データが動画像データであった場合には、前記接続が切断されたときに送信していた前記動画像データ中の送信位置の情報を含む前記切断時状態情報を生成することを特徴とする請求項９に記載の通信装置。
【請求項１１】
前記外部の表示装置に送信する画像データの条件を設定する設定手段を更に有し、
前記制御手段は、前記設定された条件に基づいて前記所定の画像データを決定することを特徴とする請求項１に記載の通信装置。
【請求項１２】
前記画像データは、動画像データであって、
前記条件は、接続が切断したときに送信していた動画像データの次の動画像データの送信、接続が切断したときに送信していた動画像データの先頭からの送信、接続が切断したときに送信していた動画像データにおける位置からの送信のいずれか１つを含むことを特徴とする請求項１１に記載の通信装置。
【請求項１３】
外部の表示装置との間で通信を行う通信手段と、前記外部の表示装置との接続状態を検出する検出手段とを備え、前記外部の表示装置と近距離無線通信を行う通信装置の制御方法であって、
前記通信手段による画像データの送信を制御する制御ステップを有し、
前記制御ステップでは、前記検出手段によって、前記通信手段による画像データの送信中に前記外部の表示装置との接続が切断されたことが検出された後、前記外部の表示装置に接続したことが検出された場合に、所定の画像データを送信するように、前記通信手段を制御することを特徴とする制御方法。
【発明の詳細な説明】
【技術分野】
【０００１】
本発明は、外部の表示装置と近距離無線通信を行う通信装置及びその制御方法に関する。
【背景技術】
【０００２】
近年、電磁誘導による電磁式コイル間通信やアンテナからの出力を減衰させて通信可能距離を短くした近距離無線通信を利用した通信装置が提案されている（特許文献１参照）。通信装置と通信対象装置（通信相手）との通信可能距離を数センチ程度にすることによって、通信対象装置の特定が容易になるなどの利点がある。
【先行技術文献】
【特許文献】
【０００３】
【特許文献１】特開２００３−１８８８０５号公報
【発明の概要】
【発明が解決しようとする課題】
【０００４】
近距離無線通信において、データの通信中にユーザが通信装置の操作を行う場合には、通信装置と通信対象装置との接続を一旦切断し、通信装置を手元に近づけて操作を行った後、通信装置を通信対象装置に近接させて再接続させることになる。例えば、近距離無線通信を用いて外部の表示装置に画像データを送信して画像を表示させる場合を考える。この場合、外部の表示装置に表示させる画像を変更するためには、ユーザは通信装置を手元に近づけて画像データ（即ち、変更する画像の画像データ）を選択する操作を行った後、通信装置を外部の表示装置に近接させなければならない。このように、近距離無線通信を用いた従来の通信装置では、ユーザにとって操作の負担が大きく、操作性（ユーザビリティ）を著しく欠いていた。
【０００５】
そこで、本発明は、このような従来技術の課題に鑑みてなされ、近距離無線通信を用いながらも、操作性（ユーザビリティ）に優れた通信装置及びその制御方法を提供することを例示的目的とする。
【課題を解決するための手段】
【０００６】
上記目的を達成するために、本発明の一側面としての通信装置は、外部の表示装置と近距離無線通信を行う通信装置であって、前記外部の表示装置との間で通信を行う通信手段と、前記外部の表示装置との接続状態を検出する検出手段と、前記通信手段による画像データの送信を制御する制御手段と、を有し、前記検出手段によって、前記通信手段による画像データの送信中に前記外部の表示装置との接続が切断されたことが検出された後、前記外部の表示装置に接続したことが検出された場合に、前記制御手段は、所定の画像データを送信するように、前記通信手段を制御することを特徴とする。
【０００７】
本発明の更なる目的又はその他の側面は、以下、添付図面を参照して説明される好ましい実施形態によって明らかにされるであろう。
【発明の効果】
【０００８】
本発明によれば、例えば、近距離無線通信を用いながらも、操作性（ユーザビリティ）に優れた通信装置及びその制御方法を提供することができる。
【図面の簡単な説明】
【０００９】
【図１】本発明の一側面としての通信装置を含む通信システムを示す外観図である。
【図２】図１に示す通信装置の構成を示す概略ブロック図である。
【図３】図１に示す通信装置の動作を説明するためのフローチャートである。
【図４】図３に示すＳ３２０の画像ファイル選択処理を説明するためのフローチャートである。
【図５】図４に示すＳ４０２で表示される画像データ一覧画面の一例を示す図である。
【図６】図３に示すＳ３２４のメニュー選択処理を説明するためのフローチャートである。
【図７】図６に示すＳ６０４で表示されるメニュー選択画面の一例を示す図である。
【図８】図６に示すＳ６０８で表示されるメニュー選択画面の一例を示す図である。
【図９】図６に示すＳ６１０で表示されるメニュー選択画面の一例を示す図である。
【図１０】図３に示すＳ３３８の再接続処理を説明するためのフローチャートである。
【図１１】図１０に示すＳ１００４の次画像データ選択処理を説明するためのフローチャートである。
【図１２】図１０に示すＳ１００８の次チャプタ選択処理を説明するためのフローチャートである。
【図１３】図１０に示すＳ１０１２の先頭位置選択処理を説明するためのフローチャートである。
【図１４】図１０に示すＳ１０１６の途中位置選択処理を説明するためのフローチャートである。
【発明を実施するための形態】
【００１０】
以下、添付図面を参照して、本発明の好適な実施の形態について説明する。なお、各図において、同一の部材については同一の参照番号を付し、重複する説明は省略する。
【００１１】
図１を参照して、本発明の一側面としての通信装置１００を含む通信システムについて説明する。通信装置１００は、内部バッテリー（不図示）を用いて動作し、外部の表示装置２００と近距離無線通信を行う。従って、通信装置１００は、表示装置２００に近接すると、表示装置２００に接続してデータの通信（送受信）を実行する。通信装置１００は、外部の表示装置２００との近距離無線通信を行うための通信部１３０と、ユーザからの操作（指示）を受け付けるための操作部１４０と、ユーザに対して通知を行うための表示部１５０とを有する。
【００１２】
表示装置２００は、通信装置１００と近距離無線通信を行うための通信部２１０と、画像を表示するための表示部２２０とを有する。表示装置２００は、通信装置１００（通信部１３０）から送信される動画や静止画などの画像データを受信して、かかる画像データに対応する画像を表示する。但し、表示装置２００は、表示部２２０を有する装置に限定されるものではなく、例えば、画像データに対応する画像を投影する投影部を有するプロジェクタ装置であってもよい。
【００１３】
図２を参照して、通信装置１００の構成を説明する。制御部１１０は、ＣＰＵで構成され、記憶部１２０に記憶されたプログラムを実行して各部を制御することで、通信装置１００の動作全体を制御する。制御部１１０は、例えば、操作部１４０で受け付けたユーザの操作の解析や記憶部１２０に記憶された画像データの管理を行う。また、制御部１１０は、画像データの送信中に表示装置２００との接続が切断され、その後、表示装置２００に再接続した場合に、所定の画像データが自動的に送信されるように、通信部１３０による画像データの送信を制御する。
【００１４】
記憶部１２０は、制御部１１０が使用するプログラムデータを記憶する。また、記憶部１２０は、画像データや処理動作時の一時的なデータを記憶する。画像データは、例えば、ファイル形式で記憶部１２０に記憶され、所定のファイルシステムで管理される。なお、ファイルシステムには、特別な制限はなく、ファイル及びファイル属性を識別するための情報と、記憶位置に関する情報とが管理されていればよい。更に、記憶部１２０は、画像データの送信中に表示装置２００との接続が切断されたことが検出された場合に、切断時の状態を示す切断時状態情報を記憶する。なお、切断時状態情報は、切断前に接続していた表示装置を特定するための装置情報や表示装置との接続が切断されたときに送信していた画像データに関する送信情報などを含む。例えば、切断時状態情報は、表示装置２００との接続が切断されたときに送信していた画像データが動画像データであった場合には、接続が切断されたときに送信していた動画像データ中の送信位置を送信情報として含む。
【００１５】
通信部１３０は、表示装置２００との間で通信を行う機能を有する。具体的には、通信部１３０は、非接触型の近距離無線通信により、表示装置２００に画像データを送信すると共に、表示装置２００から送信されるデータを受信する。通信部１３０は、アンテナ１３２と、アンテナ１３２を介して表示装置２００との近距離無線通信を制御するための通信制御部１３４とを含む。通信制御部１３４は、アンテナ１３２から出力される信号レベルを減衰させる減衰器（不図示）を備え、アンテナ１３２から出力される信号レベルを減衰させることで、表示装置２００との通信可能距離を数センチ乃至数十センチの範囲に制御する。なお、減衰器は、抵抗器などを用いて、信号レベルの減衰量を変更することができるように構成されている。また、通信制御部１３４は、アンテナ１３２を介して、表示装置２００との接続状態（即ち、表示装置２００と接続しているか、表示装置２００との接続が切断されているか）を検出する。
【００１６】
操作部１４０は、通信装置１００の電源のＯＮ又はＯＦＦの切り替え、表示装置２００に送信する画像データの選択、各種設定などを行うためのスイッチやボタンを含む。
【００１７】
表示部１５０は、例えば、ＴＦＴ、ＬＣＤ、有機ＥＬ等の表示素子を含み、ユーザからの入力（操作）を促すためのメニュー画面及び設定画面や記憶部１２０に記憶された画像データに対応する画像を表示する。
【００１８】
以下、図３を参照して、通信装置１００の動作、詳細には、通信装置１００が表示装置２００に画像データを送信する動作について説明する。かかる動作は、ユーザが操作部１４０を操作して通信装置１００の電源がＯＮになることで開始され、通信装置１００の電源がＯＦＦになるまでループ処理となる。また、かかる動作は、制御部１１０が通信装置１００の各部を統括的に制御することで実現される。
【００１９】
Ｓ３０２において、制御部１１０は、通信部１３０を介して、通信装置１００が通信可能な外部装置が存在するか（即ち、通信対象装置が近接しているか）どうかを確認する。通信可能な外部装置の存在を確認するためには、まず、通信装置１００が予め定められた近距離無線通信の規格に沿った問い合わせ信号を送信する。通信装置１００からの問い合わせ信号を外部装置が受信した場合には、外部装置から通信装置１００に対して、問い合わせ信号に応答する応答信号が送信される。そして、外部装置からの応答信号を通信装置１００が受信することで、外部装置が存在していることを確認する。また、外部装置の存在を確認した時点で、通信装置１００と外部装置との接続が確立される。なお、近距離無線通信の通信規格には、当業界で周知のいかなる規格をも適用することができるため、ここでは詳しい説明は省略する。
【００２０】
通信装置１００が通信可能な外部装置が存在しない場合（Ｓ３０２のＮＯ）には、制御部１１０は、所定の時間間隔で、通信装置１００が通信可能な外部装置が存在するかどうかを確認する（即ち、Ｓ３０２を繰り返す）。
【００２１】
一方、通信装置１００が通信可能な外部装置が存在する場合（Ｓ３０２のＹＥＳ）には、Ｓ３０４において、制御部１１０は、通信対象装置となる外部装置から外部装置の装置情報（プロファイル情報）を取得する。ここで、装置情報は、外部装置がどのような装置であるか、即ち、装置の種類を特定する情報を含む。外部装置の装置情報を取得するためには、まず、通信装置１００が機器情報の送信を要求する要求信号を外部装置に対して送信する。通信装置１００からの要求信号に応じて、外部装置から通信装置１００に対して、装置の種類を含む装置情報が送信される。そして、外部装置からの装置情報を通信装置１００が受信することで、外部装置の装置情報を取得する。
【００２２】
Ｓ３０６において、制御部１１０は、Ｓ３０４で取得した外部装置の装置情報を解析して、通信可能な外部装置が表示装置であるかどうかを確認する。通信可能な外部装置が表示装置でない場合（Ｓ３０６のＮＯ）には、Ｓ３０８において、制御部１１０は、ユーザに対して、通信可能な外部装置が表示装置でない旨を通知する。具体的には、制御部１１０は、通信可能な外部装置が表示装置でない旨のメッセージ画面を表示部１５０に表示させる。そして、Ｓ３１０において、制御部１１０は、通信装置１００と外部装置との接続を切断する。通信装置１００と外部装置との接続を切断したら、制御部１１０は、一定時間待機して、通信装置１００が通信可能な外部装置が存在するかどうかを再度確認する（即ち、Ｓ３０２に移行する）。
【００２３】
一方、通信可能な外部装置が表示装置（以下、「表示装置２００」とする）である場合（Ｓ３０６のＹＥＳ）には、Ｓ３１２において、制御部１１０は、通信部１３０を介して、表示装置２００の表示部２２０に表示させる画像に対応する画像データを送信する。具体的には、制御部１１０は、記憶部１２０に記憶されている画像データにデコード処理を施して所定の表示用データを生成し、通信部１３０を介して、表示装置２００に送信する。本実施形態では、表示装置２００の表示部２２０に静止画像又は動画像を表示させることが可能であり、動画像を表示させる場合には、動画像に対応する動画像データ（ＭＰＥＧ等の一般的な動画像形式のデータ）を通信装置１００は送信するものとする。また、ユーザは、操作部１４０を介して、記憶部１２０に記憶されている画像データのうち、表示装置２００に送信する画像データ（即ち、表示装置２００に表示させる画像）を任意に選択（決定）することができる。かかる画像データの選択は、通信装置１００の電源をＯＮにした後、通信装置１００を表示装置２００に近接させる前に行えばよい。
【００２４】
Ｓ３１４において、制御部１１０は、通信部１３０を介して、表示装置２００との接続状態を検出し、画像データの送信中において、表示装置２００との接続が維持されているかどうかを確認する。表示装置２００との接続が維持されている場合（Ｓ３１４のＹＥＳ）には、Ｓ３１２に戻り、表示装置２００への画像データの送信を継続する（即ち、Ｓ３１２及びＳ３１４を繰り返す）。
【００２５】
一方、表示装置２００との接続が切断されている場合（Ｓ３１４のＮＯ）には、Ｓ３１６において、制御部１１０は、通信部１３０による画像データの送信を停止すると共に、切断時状態情報を記憶部１２０に記憶させる。なお、切断時状態情報とは、表示装置２００との接続が切断されたときの通信装置１００の状態に関する情報である。
【００２６】
Ｓ３１８において、制御部１１０は、表示装置２００との接続が切断された際に移行するモードとして、画像ファイル選択モードが設定されているかどうかを確認する。画像ファイル選択モードが設定されている場合（Ｓ３１８のＹＥＳ）には、Ｓ３２０において、制御部１１０は、後述する画像ファイル選択処理を実行して、Ｓ３２６に移行する。
【００２７】
一方、画像ファイル選択モードが設定されていない場合（Ｓ３１８のＮＯ）には、Ｓ３２２において、制御部１１０は、表示装置２００との接続が切断された際に移行するモードとして、メニュー選択モードが設定されているかどうかを確認する。メニュー選択モードが設定されている場合（Ｓ３２２のＹＥＳ）には、Ｓ３２４において、制御部１１０は、後述するメニュー選択処理を実行して、Ｓ３２６に移行する。メニュー選択モードが設定されていない場合（Ｓ３２２のＮＯ）には、表示装置２００との接続が切断された際に移行するモードが設定されていないとみなして、Ｓ３２６に移行する。なお、表示装置２００との接続が切断された際に移行するモードは、操作部１４０を介して、設定、変更及び解除を行うことができる。
【００２８】
Ｓ３２６において、制御部１１０は、通信部１３０を介して、外部装置に再接続したかどうかを確認する。なお、外部装置に再接続したかどうかの確認は、所定の時間内、定期的に行う。外部装置に再接続していない場合（Ｓ３２６のＮＯ）には、Ｓ３２８に移行する。また、外部装置に再接続している場合（Ｓ３２６のＹＥＳ）には、Ｓ３３２に移行する。
【００２９】
Ｓ３２８において、制御部１１０は、操作部１４０を介して、表示装置に送信する画像データの選択や表示装置との接続が切断された際に移行するモードの変更などのユーザによる操作（ユーザ操作）が行われたかどうかを確認する。ユーザ操作が行われていない場合（Ｓ３２８のＮＯ）には、Ｓ３２６に移行して、外部装置への再接続又はユーザ操作を待つ。ユーザ操作が行われている場合（Ｓ３２８のＹＥＳ）には、Ｓ３３０において、制御部１１０は、記憶部１２０に記憶させた切断時状態情報を消去すると共に、ユーザ操作に応じた処理を実行して、Ｓ３０２に移行する。
【００３０】
Ｓ３３２において、制御部１１０は、再接続している外部装置から装置情報（プロファイル情報）を取得する。なお、再接続している外部装置の装置情報の取得は、Ｓ３０４と同様であるため、ここでの詳細な説明は省略する。
【００３１】
Ｓ３３４において、制御部１１０は、Ｓ３３２で取得した装置情報とＳ３１６で記憶部１２０に記憶させた切断時状態情報に含まれる装置情報とを比較して、再接続している外部装置が前回接続していた外部装置であるかどうかを判定する。換言すれば、Ｓ３３４では、再接続している外部装置が、接続が切断された外部装置と同一であるか（本実施形態では、表示装置２００であるか）どうかを判定する。
【００３２】
再接続している外部装置が前回接続していた外部装置でない場合（Ｓ３３４のＮＯ）には、Ｓ３３６において、制御部１１０は、記憶部１２０に記憶させた切断時状態情報を消去して、Ｓ３０６に移行する。
【００３３】
一方、再接続している外部装置が前回接続していた外部装置である場合（Ｓ３３４のＹＥＳ）には、Ｓ３３８において、制御部１１０は、後述するように、通信装置１００に設定されている再接続処理を実行して、Ｓ３０６に移行する。なお、ユーザは、操作部１４０を介して、通信装置１００に再接続処理を予め設定することができる。
【００３４】
ここで、画像ファイル選択モード及びメニュー選択モードについて説明する。画像ファイル選択モード及びメニュー選択モードは、画像データの送信中に外部装置との接続が切断された後、かかる外部装置に再接続した場合に、通信装置１００が送信する画像データを選択（設定）するためのモードである。画像ファイル選択モードは、画像ファイル選択処理を実行するモードである。画像ファイル選択処理では、外部装置との接続が切断された際に、外部装置に送信する画像データをユーザに選択させるための画面を表示部１５０に表示する。そして、ユーザが選択した画像データを、外部装置と再接続した際に送信する画像データとして選択する。また、メニュー選択モードは、メニュー選択処理を実行するモードである。メニュー選択処理では、外部装置との接続が切断された際に、メニューをユーザに選択させるための画面を表示部１５０に表示する。そして、ユーザが選択したメニューに従って、外部装置と再接続した際に送信する画像データを選択する。なお、メニューは、外部装置と再接続した際に、画像データをどのように送信するか（例えば、どの画像データから送信するか）を示すものである。
【００３５】
図４を参照して、画像ファイル選択処理（Ｓ３２０）を具体的に説明する。画像ファイル選択処理によって、通信装置１００が表示装置２００と再接続した際に表示装置２００に送信する画像データ（即ち、表示装置２００に表示させる画像）の選択が実行される。
【００３６】
Ｓ４０２において、制御部１１０は、記憶部１２０に記憶されている画像情報から画像データ一覧情報を取得し、かかる画像データ一覧情報に基づいて、画像データ一覧画面を表示部１５０に表示する。なお、ユーザは、操作部１４０を用いて、Ｓ４０２で表示部１５０に表示される画像データ一覧画面から、所定の画像データ（即ち、表示装置２００に表示させたい画像に対応する画像データ）を選択することができる。
【００３７】
図５は、Ｓ４０２で表示部１５０に表示される画像データ一覧画面の一例を示す図である。画像データ一覧画面は、記憶部１２０に記憶されている画像データ（動画像データ）をユーザに選択させるための画像アイコンＩＩａ乃至ＩＩｆを含む。本実施形態では、１つの画像データ一覧画面は、第１の画像データ乃至第６の画像データに対応して６つの画像アイコンＩＩａ乃至ＩＩｆを含んでいるが、これに限定されるものではない。換言すれば、１つの画像データ一覧画面は、記憶部１２０に記憶されている画像データの数の範囲内において、任意の数の画像アイコンを含むことが可能である。なお、画像データに対応する画像アイコンの配列にも制限はなく、データ名順であってもよいし、記憶部１２０に記憶された日時順やデータサイズ順であってもよい。
【００３８】
Ｓ４０４において、制御部１１０は、画像データ一覧画面を介してユーザによって選択された画像データを記憶部１２０に記憶させる。そして、Ｓ４０６において、制御部１１０は、表示部１５０に表示されている画像データ一覧画面を消去する。
【００３９】
図６を参照して、メニュー選択処理（Ｓ３２４）を具体的に説明する。
【００４０】
Ｓ６０２において、制御部１１０は、記憶部１２０に記憶させた切断時状態情報に含まれる送信情報を参照し、表示装置２００との接続が切断されたときに送信していた画像データが動画像データであるかどうかを確認する。表示装置２００との接続が切断されたときに送信していた画像データが動画像データでない（即ち、静止画像データである）場合（Ｓ６０２のＮＯ）には、Ｓ６０４に移行する。また、表示装置２００との接続が切断されたときに送信していた画像データが動画像データである場合（Ｓ６０２のＹＥＳ）には、Ｓ６０６に移行する。
【００４１】
Ｓ６０４において、制御部１１０は、静止画像用のメニュー選択画面を表示部１５０に表示する。図７は、Ｓ６０４で表示部１５０に表示されるメニュー選択画面の一例を示す図である。図７に示すメニュー選択画面は、ユーザに選択させるための３つのメニューＭＮ１乃至ＭＮ３を含む。メニューＭＮ１は、表示装置２００に再接続した際に、表示装置２００に送信する画像データとして、表示装置２００との接続が切断されたときに送信していた画像データの次の画像データを選択するためのメニューである。メニューＭＮ２は、表示装置２００に再接続した際に、表示装置２００に送信する画像データとして、表示装置２００との接続が切断されたときに送信していた画像データと同一の画像データを選択するためのメニューである。メニューＭＮ３は、表示装置２００に再接続した際に、表示装置２００に送信する画像データとして、表示装置２００との接続が切断されたときに送信していた画像データの前の画像データを選択するためのメニューである。
【００４２】
Ｓ６０６において、制御部１１０は、記憶部１２０に記憶させた切断時状態情報に含まれる送信情報を参照し、表示装置２００との接続が切断されたときに送信していた画像データが複数のチャプタで構成された動画像データであるかどうかを確認する。表示装置２００との接続が切断されたときに送信していた画像データが複数のチャプタで構成された動画像データでない（即ち、単一のチャプタで構成された動画像データである）場合（Ｓ６０６のＮＯ）には、Ｓ６０８に移行する。また、表示装置２００との接続が切断されたときに送信していた画像データが複数のチャプタで構成された動画像データである場合（Ｓ６０６のＹＥＳ）には、Ｓ６１０に移行する。
【００４３】
Ｓ６０８において、制御部１１０は、単一のチャプタで構成された動画像用のメニュー選択画面を表示部１５０に表示する。図８は、Ｓ６０８で表示部１５０に表示されるメニュー選択画面の一例を示す図である。図８に示すメニュー選択画面は、ユーザに選択させるための３つのメニューＭＮ４乃至ＭＮ６を含む。メニューＭＮ４は、表示装置２００に再接続した際に、表示装置２００に送信する画像データとして、表示装置２００との接続が切断されたときに送信していた動画像データの次の画像データを選択するためのメニューである。メニューＭＮ５は、表示装置２００に再接続した際に、接続が切断されたときに送信していた動画像データの先頭から再度送信するためのメニューである。メニューＭＮ６は、表示装置２００に再接続した際に、接続が切断されたときに送信していた位置から続けて画像データを送信するためのメニューである。このように、図８に示すメニュー選択画面は、表示装置２００に再接続したときに送信する画像データに対応する動画像データの送信位置を選択するための画面である。
【００４４】
Ｓ６１０において、制御部１１０は、複数のチャプタで構成された動画像用のメニュー選択画面を表示部１５０に表示する。図９は、Ｓ６１０で表示部１５０に表示されるメニュー選択画面の一例を示す図である。図９に示すメニュー選択画面は、ユーザに選択させるための５つのメニューＭＮ７乃至ＭＮ１１を含む。メニューＭＮ７は、表示装置２００に再接続した際に、表示装置２００に送信する画像データとして、表示装置２００との接続が切断されたときに送信していた動画像データの次の画像データを選択するためのメニューである。メニューＭＮ８は、表示装置２００に再接続した際に、表示装置２００に送信する画像データとして、表示装置２００との接続が切断されたときに送信していた動画像データのチャプタの先頭から再度画像データ送信するためのメニューである。メニューＭＮ９は、表示装置２００に再接続した際に、接続が切断されたときに送信していた位置から続けて画像データを送信するためのメニューである。メニューＭＮ１０は、表示装置２００に再接続した際に、表示装置２００に送信する画像データとして、表示装置２００との接続が切断されたときに送信していた動画像データのチャプタの次のチャプタの先頭から画像データを送信するためのメニューである。メニューＭＮ１１は、表示装置２００に再接続した際に、表示装置２００に送信する画像データとして、表示装置２００との接続が切断されたときに送信していた動画像データのチャプタの前のチャプタの先頭から画像データを送信するためのメニューである。このように、図９に示すメニュー選択画面は、表示装置２００に再接続したときに送信する画像データに対応する動画像データの送信位置を、チャプタを含めて選択するための画面である。
【００４５】
なお、ユーザは、操作部１４０を用いて、Ｓ６０４、Ｓ６０８又はＳ６１０で表示部１５０に表示されるメニュー選択画面から、所望のメニューを選択することができる。
【００４６】
Ｓ６１２において、制御部１１０は、メニュー選択画面を介してユーザによって選択されたメニューを記憶部１２０に記憶させる。そして、Ｓ６１４において、制御部１１０は、表示部１５０に表示されているメニュー選択画面を消去する。
【００４７】
次に、図１０を参照して、再接続処理（Ｓ３３８）について説明する。なお、以下では、再接続処理として、次画像データ選択処理、次チャプタ選択処理、先頭位置選択処理、途中位置選択処理、画像ファイル選択処理及びメニュー選択処理を説明するが、これ以外の処理を設定することも可能である。
【００４８】
ユーザは、操作部１４０を操作することにより、再接続時に、これらの各種の処理のうち、何れを実行するかを任意に設定することができる。換言すれば、ユーザは、表示装置２００に送信する画像データの条件を任意の設定することができる。そして、画像ファイル選択処理、及び、メニュー選択処理が選択されていた場合には、送信の中断に伴い、図４乃至図９に従う処理が実行され、設定された条件に基づいて表示装置２００に送信する画像データが決定される。
【００４９】
また、画像ファイル選択処理、及び、メニュー選択処理以外の処理が選択されていた場合には、送信の中断時には図４乃至図９の処理を実行せず、再接続時に、選択された処理に従い送信すべき画像データを選択して送信する。
【００５０】
Ｓ１００２において、制御部１１０は、通信装置１００に次画像データ選択処理が設定されているかどうかを確認する。次画像データ選択処理が設定されている場合（Ｓ１００２のＹＥＳ）には、Ｓ１００４において、制御部１１０は、後述する次画像データ選択処理を実行する。一方、次画像データ処理が設定されていない場合（Ｓ１００２のＮＯ）には、Ｓ１００６に移行する。
【００５１】
Ｓ１００６において、制御部１１０は、通信装置１００に次チャプタ選択処理が設定されているかどうかを確認する。次チャプタ選択処理が設定されている場合（Ｓ１００６のＹＥＳ）には、Ｓ１００８において、制御部１１０は、後述する次チャプタ選択処理を実行する。一方、次チャプタ選択処理が設定されていない場合（Ｓ１００６のＮＯ）には、Ｓ１０１０に移行する。
【００５２】
Ｓ１０１０において、制御部１１０は、通信装置１００に先頭位置選択処理が設定されているかどうかを確認する。先頭位置選択処理が設定されている場合（Ｓ１０１０のＹＥＳ）には、Ｓ１０１２において、制御部１１０は、後述する先頭位置選択処理を実行する。一方、先頭位置選択処理が設定されていない場合（Ｓ１０１０のＮＯ）には、Ｓ１０１４に移行する。
【００５３】
Ｓ１０１４において、制御部１１０は、通信装置１００に途中位置選択処理が設定されているかどうかを確認する。途中位置選択処理が設定されている場合（Ｓ１０１４のＹＥＳ）には、Ｓ１０１６において、制御部１１０は、後述する途中位置選択処理を実行する。一方、途中位置選択処理が設定されていない場合（Ｓ１０１４のＮＯ）には、Ｓ１０１８に移行する。
【００５４】
Ｓ１０１８において、制御部１１０は、通信装置１００に画像ファイル選択処理が設定されているかどうかを確認する。画像ファイル選択処理が設定されている場合（Ｓ１０１８のＹＥＳ）には、Ｓ１０２０において、制御部１１０は、後述する画像ファイル選択処理を実行する。一方、画像ファイル選択処理が設定されていない場合（Ｓ１０１８のＮＯ）には、Ｓ１０２２に移行する。
【００５５】
Ｓ１０２２において、制御部１１０は、通信装置１００にメニュー選択処理が設定されているかどうかを確認する。メニュー選択処理が設定されている場合（Ｓ１０２２のＹＥＳ）には、Ｓ１０２４において、制御部１１０は、後述するメニュー選択処理を実行する。一方、メニュー選択処理が設定されていない場合（Ｓ１０２２のＮＯ）には、再接続処理が設定されていないとみなして、通常の処理に戻る。
【００５６】
図１１を参照して、次画像データ選択処理（Ｓ１００４）を具体的に説明する。次画像データ選択処理では、表示装置２００に再接続した際に表示装置２００に送信する画像データとして、表示装置２００との接続が切断されたときに送信していた画像データとは異なる画像データを選択する。
【００５７】
Ｓ１１０２において、制御部１１０は、記憶部１２０に記憶させた切断時状態情報を参照する。そして、Ｓ１１０４において、制御部１１０は、切断時情報に含まれる送信情報（即ち、表示装置２００との接続が切断されたときに送信していた画像データに関する情報）を取得する。換言すれば、Ｓ１１０４では、表示装置２００との接続が切断されたときに送信していた画像データを特定する。
【００５８】
Ｓ１１０６において、制御部１１０は、Ｓ１１０２で取得した送信情報に基づいて、表示装置２００に再接続した際に表示装置２００に送信する画像データとして、表示装置２００との接続が切断されたときに送信していた画像データと異なる画像データを選択する。そして、その先頭から送信を開始する。本実施形態では、表示装置２００との接続が切断されたときに送信していた画像データの次の画像データを選択する。なお、画像データを選択する順序は、データ名順、記憶部１２０に記憶された日時順やデータサイズ順であってもよいし、ユーザによって予め指定されていてもよい。
【００５９】
このように、通信装置１００に次画像データ選択処理が設定されている場合には、通信装置１００と表示装置２００との接続及びかかる接続の切断に応じて、表示装置２００に送信する画像データが変更される。換言すれば、通信装置１００を表示装置２００に近接させたり遠ざけたりすることで、通信装置１００が表示装置２００に送信する画像データを変更することができる。
【００６０】
図１２を参照して、次チャプタ選択処理（Ｓ１００８）を具体的に説明する。次チャプタ選択処理では、表示装置２００に再接続した際に表示装置２００に送信する画像データとして、表示装置２００との接続が切断されたときに送信していたチャプタ（第１のチャプタ）の次のチャプタ（第２のチャプタ）の画像データを選択する。なお、Ｓ１２０２及びＳ１２０４は、図１１に示すＳ１１０２及びＳ１１０４と同じ処理であるため、ここでの説明は省略する。
【００６１】
Ｓ１２０６において、制御部１１０は、Ｓ１２０４で取得した送信情報に基づいて、表示装置２００との接続が切断されたときに送信していた画像データが動画像データであるかどうかを確認する。表示装置２００との接続が切断されたときに送信していた画像データが動画像データでない（即ち、静止画像データである）場合（Ｓ１２０６のＮＯ）には、Ｓ１２０８に移行する。また、表示装置２００との接続が切断されたときに送信していた画像データが動画像データである場合（Ｓ１２０６のＹＥＳ）には、Ｓ１２１０に移行する。
【００６２】
Ｓ１２０８において、制御部１１０は、表示装置２００に再接続した際に表示装置２００に送信する画像データとして、表示装置２００との接続が切断されたときに送信していた画像データと同一の画像データを選択する。
【００６３】
Ｓ１２１０において、制御部１１０は、Ｓ１２０４で取得した送信情報に基づいて、表示装置２００との接続が切断されたときに送信していた画像データが複数のチャプタで構成された動画像データであるかどうかを確認する。表示装置２００との接続が切断されたときに送信していた画像データが複数のチャプタで構成された動画像データでない（即ち、単一のチャプタで構成された動画像データである）場合（Ｓ１２１０のＮＯ）には、Ｓ１２１２に移行する。また、表示装置２００との接続が切断されたときに送信していた画像データが複数のチャプタで構成された動画像データである場合（Ｓ１２１０のＹＥＳ）には、Ｓ１２１４に移行する。
【００６４】
Ｓ１２１２において、制御部１１０は、表示装置２００に再接続した際に表示装置２００に送信する画像データとして、動画像データのチャプタの先頭の画像データを選択する。
【００６５】
Ｓ１２１４において、制御部１１０は、Ｓ１２０４で取得した送信情報に基づいて、表示装置２００との接続が切断されたときに送信していた画像データが最終チャプタの画像データであるかどうかを確認する。表示装置２００との接続が切断されたときに送信していた画像データが最終チャプタの画像データでない場合（Ｓ１２１４のＮＯ）には、Ｓ１２１６に移行する。また、表示装置２００との接続が切断されたときに送信していた画像データが最終チャプタの画像データである場合（Ｓ１２１４のＹＥＳ）には、Ｓ１２１８に移行する。
【００６６】
Ｓ１２１６において、制御部１１０は、表示装置２００に再接続した際に表示装置２００に送信する画像データとして、表示装置２００との接続が切断されたときに送信していた動画像データのチャプタの次のチャプタを選択する。そして、その先頭の画像データから送信を開始する。
【００６７】
また、Ｓ１２１８において、制御部１１０は、表示装置２００に再接続した際に表示装置２００に送信する画像データとして、表示装置２００との接続が切断されたときに送信していた動画像データの次の動画像データを選択する。そして、その先頭の画像データから送信を開始する。
【００６８】
このように、通信装置１００に次チャプタ選択処理が設定されている場合には、通信装置１００と表示装置２００との接続及びかかる接続の切断に応じて、表示装置２００に送信する画像データが次のチャプタの画像データに変更される。換言すれば、通信装置１００を表示装置２００に近接させたり遠ざけたりすることで、通信装置１００が表示装置２００に送信する画像データを次のチャプタの画像データに変更することができる。なお、本実施形態では、表示装置２００との接続が切断されたときに送信していたチャプタの次のチャプタの画像データを選択する場合を説明したが、例えば、前のチャプタの画像データや同一のチャプタの画像データを選択するようにしてもよい。
【００６９】
図１３を参照して、先頭位置選択処理（Ｓ１０１２）を具体的に説明する。先頭位置選択処理では、表示装置２００に再接続した際に表示装置２００に送信する画像データとして、表示装置２００との接続が切断されたときに送信していた動画像データの先頭の画像データを選択する。なお、Ｓ１３０２、Ｓ１３０４及びＳ１３０６は、図１２に示すＳ１２０２、Ｓ１２０４及びＳ１２０６と同じ処理であるため、ここでの説明は省略する。表示装置２００との接続が切断されたときに送信していた画像データが動画像データでない（即ち、静止画像データである）場合（Ｓ１３０６のＮＯ）には、Ｓ１３０８に移行する。Ｓ１３０８において、制御部１１０は、表示装置２００に再接続した際に表示装置２００に送信する画像データとして、表示装置２００との接続が切断されたときに送信していた画像データと同一の画像データを選択する。そして、その先頭の画像データから送信を開始する。
【００７０】
一方、表示装置２００との接続が切断されたときに送信していた画像データが動画像データである場合（Ｓ１３０６のＹＥＳ）には、Ｓ１３１０に移行する。Ｓ１３１０において、制御部１１０は、表示装置２００との接続が切断したときに送信していた動画像データの送信位置に関わらず、表示装置２００に再接続した際に表示装置２００に送信する画像データとして、動画像データの先頭の画像データを選択する。そして、かかる画像データの送信を開始する。
【００７１】
このように、通信装置１００に先頭位置選択処理が設定されている場合には、通信装置１００と表示装置２００との接続及びかかる接続の切断に応じて、表示装置２００に送信する画像データが動画像データの先頭の画像データに変更される。換言すれば、通信装置１００を表示装置２００に近接させたり遠ざけたりすることで、通信装置１００が表示装置２００に送信する画像データを動画像データの先頭の画像データに変更することができる。
【００７２】
図１４を参照して、途中位置選択処理（Ｓ１０１６）を具体的に説明する。途中位置選択処理では、表示装置２００に再接続した際に表示装置２００に送信する画像データとして、表示装置２００との接続が切断されたときに送信していた動画像データの位置から引き続いて画像データの送信を開始する。なお、Ｓ１４０２、Ｓ１４０４及びＳ１４０６は、図１２に示すＳ１２０２、Ｓ１２０４及びＳ１２０６と同じ処理であるため、ここでの説明は省略する。但し、Ｓ１４０２においては、送信を中断した画像データに加え、この画像データにおける送信を中断した位置の情報も取得する。
【００７３】
表示装置２００との接続が切断されたときに送信していた画像データが動画像データでない（即ち、静止画像データである）場合（Ｓ１４０６のＮＯ）には、Ｓ１４０８に移行する。Ｓ１４０８において、制御部１１０は、表示装置２００に再接続した際に表示装置２００に送信する画像データとして、表示装置２００との接続が切断されたときに送信していた画像データと同一の画像データを選択する。そして、送信を中断した位置から引き続き送信を開始する。
【００７４】
一方、表示装置２００との接続が切断されたときに送信していた画像データが動画像データである場合（Ｓ１４０６のＹＥＳ）には、Ｓ１４１０に移行する。Ｓ１４１０において、制御部１１０は、表示装置２００に再接続した際に表示装置２００に送信する画像データとして、表示装置２００との接続が切断したときに送信していた動画像データの送信位置と同一の画像データを選択する。
【００７５】
このように、通信装置１００に途中位置選択処理が設定されている場合には、通信装置１００と表示装置２００との接続及びかかる接続の切断に応じて、動画像データの送信及び停止が切り替わる。換言すれば、通信装置１００を表示装置２００に近接させたり遠ざけたりすることで、通信装置１００が表示装置２００に送信する動画像データの再生及び停止を制御することができる。
【００７６】
画像ファイル選択処理（Ｓ１０２０）を具体的に説明する。画像ファイル選択処理では、制御部１１０は、表示装置２００に再接続した際に表示装置２００に送信する画像データとして、図４に示すＳ４０４で記憶部１２０に記憶させた画像データを選択する。
【００７７】
このように、通信装置１００に画像ファイル選択処理が設定されている場合には、通信装置１００と表示装置２００との接続及びかかる接続の切断に応じて、表示装置２００に送信する画像データがユーザによって選択された画像データに変更される。換言すれば、通信装置１００を表示装置２００に近接させたり遠ざけたりすることで、通信装置１００が表示装置２００に送信する画像データをユーザによって選択された画像データに変更することができる。
【００７８】
メニュー選択処理（Ｓ１０２４）を具体的に説明する。メニュー選択処理では、制御部１１０は、表示装置２００に再接続した際に表示装置２００に送信する画像データとして、図６に示すＳ６１２で記憶部１２０に記憶させたメニューに従って画像データを選択する。
【００７９】
このように、通信装置１００にメニュー選択処理が設定されている場合には、通信装置１００と表示装置２００との接続及びかかる接続の切断に応じて、表示装置２００に送信する画像データがユーザによって選択されたメニューに従った画像データに変更される。換言すれば、通信装置１００を表示装置２００に近接させたり遠ざけたりすることで、通信装置１００が表示装置２００に送信する画像データをユーザによって選択されたメニューに従った画像データに変更することができる。
【００８０】
本実施形態の通信装置１００では、通信装置１００を表示装置２００に近接させたり遠ざけたりする簡単な操作によって、所定の画像データ（即ち、表示装置２００に表示させたい画像に対応する画像データ）を送信することができる。換言すれば、通信装置１００は、近距離無線通信を用いながらも、優れた操作性（ユーザビリティ）を実現することができる。
【００８１】
以上、本発明の好ましい実施形態について説明したが、本発明はこれらの実施形態に限定されないことはいうまでもなく、その要旨の範囲内で種々の変形及び変更が可能である。
【図１】
2011009879.tif 000003
【図２】
2011009879.tif 000004
【図３】
2011009879.tif 000005
【図４】
2011009879.tif 000006
【図５】
2011009879.tif 000007
【図６】
2011009879.tif 000008
【図７】
2011009879.tif 000009
【図８】
2011009879.tif 000010
【図９】
2011009879.tif 000011
【図１０】
2011009879.tif 000012
【図１１】
2011009879.tif 000013
【図１２】
2011009879.tif 000014
【図１３】
2011009879.tif 000015
【図１４】
2011009879.tif 000016